【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
変調信号である被測定信号から前記被測定信号の各成分を生成し、前記各成分を時間位置を揃えて出力する第一のステップと、
前記各成分に基づいて、前記被測定信号の特性、または、前記被測定信号を出力する被測定物の特性を測定する第二のステップと、
を含む測定方法。
【請求項２】
前記第一のステップが、同一情報に対応する部分の時間位置を揃えて、前記各成分を出力する第三のステップを含むことを特徴とする請求項１に記載の測定方法。
【請求項３】
前記第一のステップが、前記被測定信号を２以上のＮ個の復調方式のそれぞれで復調することによりＮ個の前記成分を得る第四のステップを含むことを特徴とする請求項１または請求項２に記載の測定方法。
【請求項４】
前記各成分が、前記被測定信号の振幅成分および前記被測定信号の位相成分であることを特徴とする請求項１または請求項２に記載の測定方法。
【請求項５】
変調信号である被測定信号を振幅復調し、前記被測定信号の振幅成分である振幅復調信号を生成する第六のステップと、
前記被測定信号を位相復調し、前記被測定信号の位相成分である位相復調信号を生成する第七のステップと、
前記被測定信号に対応し、互いに同期化した基準振幅信号および基準位相信号を生成する第八のステップと、
前記振幅復調信号と前記基準振幅信号とを相関させる第九のステップと、
前記位相復調信号と前記基準位相信号とを相関させる第十のステップと、
前記第九および第十のステップにおける相関結果に基づいて、前記振幅復調信号と前記位相復調信号との時間差を得る第十一のステップと、
前記時間差に基づいて、前記振幅復調信号および前記位相復調信号の少なくとも一方の時間位置を個別に調整する第十二のステップと、
を含み、
前記第二のステップが、時間位置が調整された前記振幅復調信号および前記位相復調信号に基づいて、前記被測定信号の特性、または、前記被測定信号を出力する被測定物の特性を測定することを特徴とする請求項１乃至請求項４のいずれかに記載の測定方法。
【請求項６】
入力信号を振幅復調し、前記入力信号の振幅成分である振幅復調信号を生成するステップと、
前記入力信号を位相復調し、前記入力信号の位相成分である位相復調信号を生成するステップと、
前記入力信号に対応し、互いに同期化した基準振幅信号および基準位相信号を生成するステップと、
前記振幅復調信号と前記基準振幅信号とを相関させるステップと、
前記位相復調信号と前記基準位相信号とを相関させるステップと、
を含み、
前記第一および第二の相関器における相関結果に基づいて、前記振幅復調信号と前記位相復調信号との時間差を測定する方法。
【請求項７】
入力信号を振幅復調し、前記入力信号の振幅成分である振幅復調信号を生成するステップと、
前記入力信号を周波数復調し、前記入力信号の周波数成分である周波数復調信号を生成するステップと、
前記入力信号に対応し、互いに同期化した基準振幅信号および基準周波数信号を生成するステップと、
前記振幅復調信号と前記基準振幅信号とを相関させるステップと、
前記周波数復調信号と前記基準周波数信号とを相関させるステップと、
を含み、
前記第一および第二の相関器における相関結果に基づいて、前記振幅復調信号と前記周波数復調信号との時間差を測定する方法。
【請求項８】
入力信号と同期化する方法であって、
入力信号を振幅復調し、前記入力信号の振幅成分である振幅復調信号を生成するステップと、
前記入力信号を位相復調し、前記入力信号の位相成分である位相復調信号を生成するステップと、
前記入力信号に対応し、互いに同期化した基準振幅信号および基準位相信号を生成するステップと、
前記振幅復調信号と前記基準振幅信号とを相関させるステップと、
前記位相復調信号と前記基準位相信号とを相関させるステップと、
前記第一および第二の相関器における相関結果に基づいて、前記振幅復調信号と前記位相復調信号との時間差を得るステップと、
前記時間差に基づいて、前記振幅復調信号および前記位相復調信号の少なくとも一方の時間位置を個別に調整するステップと、
を含むことを特徴とする同期化方法。
【請求項９】
前記調整ステップにおいて、前記振幅復調信号および前記位相復調信号の時間位置が揃うように、前記振幅復調信号および前記位相復調信号の少なくとも一方の時間位置が個別に調整されることを特徴とする請求項８に記載の同期化方法。
【請求項１０】
入力信号と同期化する方法であって、
互いに異なる２以上のＮ個の復調方式で前記入力信号を復調し、Ｎ個の復調信号を得るステップと、
前記復調信号のそれぞれと前記入力信号とに応じたＮ個の基準信号を生成するステップと、
前記復調された信号と、対応する前記基準信号とを相関させ、Ｎ個の相関結果を得るステップと、
前記Ｎ個の相関結果に基づき、前記Ｎ個の復調信号の時間位置を揃えるステップと、
を含むことを特徴とする同期化方法。
【請求項１１】
測定装置であって、
変調信号である被測定信号から前記被測定信号の各成分を生成し、前記各成分を時間位置を揃えて出力する同期化部と、
前記各成分に基づいて、前記被測定信号の特性、または、前記被測定信号を出力する被測定物の特性を測定する測定部と、
を備えることを特徴とする測定装置。
【請求項１２】
前記同期化部が、同一情報に対応する部分の時間位置を揃えて、前記各成分を出力することを特徴とする請求項１１に記載の測定装置。
【請求項１３】
前記同期化部が、前記被測定信号を２以上のＮ個の復調方式のそれぞれで復調することによりＮ個の前記成分を得ることを特徴とする請求項１１または請求項１２に記載の測定装置。
【請求項１４】
前記同期化部が、前記被測定信号の振幅成分および前記被測定信号の位相成分を生成し、前記振幅成分に含まれる情報と前記位相成分に含まれる情報の時間位置が揃うように、前記振幅成分と前記位相成分を出力することを特徴とする請求項１１または請求項１２に記載の測定装置。
【請求項１５】
前記同期化部が、
前記被測定信号を振幅復調し、前記被測定信号の振幅成分である振幅復調信号を生成する振幅復調器と、
前記被測定信号を位相復調し、前記被測定信号の位相成分である位相復調信号を生成する位相復調器と、
前記被測定信号に対応し、互いに同期化した基準振幅信号および基準位相信号を生成する信号発生器と、
前記振幅復調信号と前記基準振幅信号とを相関させる第一の相関器と、
前記位相復調信号と前記基準位相信号とを相関させる第二の相関器と、
前記第一および第二の相関器における相関結果に基づいて、前記振幅復調信号と前記位相復調信号との時間差を得る測定器と、
前記時間差に基づいて、前記振幅復調信号および前記位相復調信号の少なくとも一方の時間位置を個別に調整する時間位置調整器と、
を具備し、
前記測定部が、時間位置が調整された前記振幅復調信号および前記位相復調信号に基づいて、前記被測定信号の特性、または、前記被測定信号を出力する被測定物の特性を測定することを特徴とする請求項１１乃至請求項１４のいずれかに記載の測定装置。
【請求項１６】
入力信号を振幅復調し、前記入力信号の振幅成分である振幅復調信号を生成する振幅復調器と、
前記入力信号を位相復調し、前記入力信号の位相成分である位相復調信号を生成する位相復調器と、
前記入力信号に対応し、互いに同期化した基準振幅信号および基準位相信号を生成する信号発生器と、
前記振幅復調信号と前記基準振幅信号とを相関させる第一の相関器と、
前記位相復調信号と前記基準位相信号とを相関させる第二の相関器と、
を備え、
前記第一および第二の相関器における相関結果に基づいて、前記振幅復調信号と前記位相復調信号との時間差を測定する装置。
【請求項１７】
入力信号を振幅復調し、前記入力信号の振幅成分である振幅復調信号を生成する振幅復調器と、
前記入力信号を周波数復調し、前記入力信号の周波数成分である周波数復調信号を生成する周波数復調器と、
前記入力信号に対応し、互いに同期化した基準振幅信号および基準周波数信号を生成する信号発生器と、
前記振幅復調信号と前記基準振幅信号とを相関させる第一の相関器と、
前記周波数復調信号と前記基準周波数信号とを相関させる第二の相関器と、
を備え、
前記第一および第二の相関器における相関結果に基づいて、前記振幅復調信号と前記周波数復調信号との時間差を測定する装置。
【請求項１８】
入力信号を振幅復調し、前記入力信号の振幅成分である振幅復調信号を生成する振幅復調器と、
前記入力信号を位相復調し、前記入力信号の位相成分である位相復調信号を生成する位相復調器と、
前記入力信号に対応し、互いに同期化した基準振幅信号および基準位相信号を生成する信号発生器と、
前記振幅復調信号と前記基準振幅信号とを相関させる第一の相関器と、
前記位相復調信号と前記基準位相信号とを相関させる第二の相関器と、
前記第一および第二の相関器における相関結果に基づいて、前記振幅復調信号と前記位相復調信号との時間差を得る測定器と、
前記時間差に基づいて、前記振幅復調信号および前記位相復調信号の少なくとも一方の時間位置を個別に調整する時間位置調整器と、
を備えることを特徴とする同期化装置。
【請求項１９】
前記時間位置調整器が、前記振幅復調信号および前記位相復調信号の時間位置が揃うように、前記振幅復調信号および前記位相復調信号の少なくとも一方の時間位置を個別に調整することを特徴とする請求項１８に記載の同期化装置。
【請求項２０】
互いに異なる２以上のＮ個の復調方式で入力信号を復調し、Ｎ個の復調信号を得る復調器と、
前記復調信号のそれぞれと前記入力信号とに応じたＮ個の基準信号を生成する信号発生器と、
前記復調された信号と、対応する前記基準信号とを相関させ、Ｎ個の相関結果を得る相関器と、
前記Ｎ個の相関結果に基づき、前記Ｎ個の復調信号の時間位置を揃える時間位置調整器と、
を備える同期化装置。
【手続補正２】
【補正対象書類名】明細書
【補正対象項目名】００１３
【補正方法】変更
【補正の内容】
【００１３】
本第七の発明は、時間差測定方法であって、入力信号を振幅復調し、前記入力信号の振幅成分である振幅復調信号を生成するステップと、前記入力信号を周波数復調し、前記入力信号の周波数成分である周波数復調信号を生成するステップと、前記入力信号に対応し、互いに同期化した基準振幅信号および基準周波数信号を生成するステップと、前記振幅復調信号と前記基準振幅信号とを相関させるステップと、前記周波数復調信号と前記基準周波数信号とを相関させるステップとを含み、前記第一および第二の相関器における相関結果に基づいて、前記振幅復調信号と前記周波数復調信号との時間差を測定することを特徴とするものである。
【手続補正３】
【補正対象書類名】明細書
【補正対象項目名】００２３
【補正方法】変更
【補正の内容】
【００２３】
本第十七の発明は、時間差測定装置であって、入力信号を振幅復調し、前記入力信号の振幅成分である振幅復調信号を生成する振幅復調器と、前記入力信号を周波数復調し、前記入力信号の周波数成分である周波数復調信号を生成する周波数復調器と、前記入力信号に対応し、互いに同期化した基準振幅信号および基準周波数信号を生成する信号発生器と、前記振幅復調信号と前記基準振幅信号とを相関させる第一の相関器と、前記周波数復調信号と前記基準周波数信号とを相関させる第二の相関器とを備え、前記第一および第二の相関器における相関結果に基づいて、前記振幅復調信号と前記周波数復調信号との時間差を測定することを特等とするものである。